(57)【要約】      （修正有）【課題】赤ちゃんの手形や足形を台紙に転写する場合に、使い勝手よく使用することができる回転蓋付きスタンプ台を提供する。【解決手段】インキパッド４を備えたケース本体１の後端縁と、インキパッド４を覆う回転蓋２の後端縁とを板状のヒンジ部材３で連結し、回転蓋２をケース本体１に対し３６０°回動可能とした回転蓋付きスタンプ台であって、ケース本体１の後端壁面は上方に向けて鋭角な傾斜面６となっており、回転蓋２を３６０°回転した場合に、ヒンジ部材３は傾斜面６に沿って固定されて手開き用のヘラ部を形成するようにした。また、ヒンジ部材３の上端部又は回転蓋２の表面側後端部の少なくとも一方には、回転蓋２の回動を規制するための制止片７を形成することが好ましい。【選択図】図５
2020032565.tif 000002
【特許請求の範囲】
【請求項１】
インキパッドを備えたケース本体の後端縁と、前記インキパッドを覆う回転蓋の後端縁とを板状のヒンジ部材で連結し、前記回転蓋をケース本体に対し３６０°回動可能とした回転蓋付きスタンプ台であって、
前記ケース本体の後端壁面は上方に向けて鋭角な傾斜面となっており、
前記回転蓋を３６０°回転した場合に、前記ヒンジ部材は前記傾斜面に沿って固定されて手開き用のヘラ部を形成することを特徴とする回転蓋付きスタンプ台。
【請求項２】
ヒンジ部材の上端部又は回転蓋の表面側後端部の少なくとも一方に、回転蓋の回動を規制するための制止片が形成されている請求項１に記載の回転蓋付きスタンプ台。
【発明の詳細な説明】
【技術分野】
【０００１】
本発明は、回転蓋がケース本体に対して３６０°回動可能な回転蓋付きスタンプ台に関するものである。特に、本発明は赤ちゃんの手形や足形を台紙に転写する場合に、使い勝手よく使用することができる回転蓋付きスタンプ台に関するものである。
【背景技術】
【０００２】
例えば、ゴム印を捺印するためにスタンプ台が広く使用されている。また、インキパッドを覆う蓋を開けた場合に、その蓋を別の場所へ置いて紛失することを防止する目的で、蓋とケース本体とが分離できないように連結した状態となっている回転蓋付きスタンプ台が提案されている（例えば、特許文献１や特許文献２を参照）。
【０００３】
一方、最近では赤ちゃんの手形や足形を台紙に転写して記念に残しておく家庭が増加しており、一般的な市販のゴム印用スタンプ台を利用して赤ちゃんの手や足にインキを付着させることがあった。また、手形スタンプ用としての専用スタンプ台も市販されるようになってきた。
【０００４】
しかしながら、赤ちゃんの手足は握った状態にあることが多く、インキを付着させるには片方の手でスタンプ台を持ち、もう一方の手で指を開く作業を行う必要があり、少なくとも両手が必要であるか、あるいは第三者に手伝ってもらう必要があるため、作業的にたいへんであった。また、従来の回転蓋付きスタンプ台は、回転蓋とスタンプ台を単純にヒンジ結合しただけの構造であってグラグラの状態であるため、回転蓋を３６０°回動するには両手で支持する必用があり、赤ちゃんの手や足にインキを付着させる作業を難しくしているという問題があった。
【先行技術文献】
【特許文献】
【０００５】
【特許文献１】特許第３２５６５２０号公報
【特許文献２】特開２００２−３６６９１号公報
【発明の概要】
【発明が解決しようとする課題】
【０００６】
本発明は上記のような従来の問題点を解決して、赤ちゃんの手形や足形を台紙に転写する場合に、握った状態の手や足を開いた状態にしてしっかりとインキを付着させることができ、美しい手形や足形を台紙に転写することができ、またインキ付着の一連の作業を第三者の手助けがなくても一人で行うことができる回転蓋付きスタンプ台を提供することを目的とするものである。
【課題を解決するための手段】
【０００７】
上記課題を解決するためになされた本発明の回転蓋付きスタンプ台は、インキパッドを備えたケース本体の後端縁と、前記インキパッドを覆う回転蓋の後端縁とを板状のヒンジ部材で連結し、前記回転蓋をケース本体に対し３６０°回動可能とした回転蓋付きスタンプ台であって、
前記ケース本体の後端壁面は上方に向けて鋭角な傾斜面となっており、
前記回転蓋を３６０°回転した場合に、前記ヒンジ部材は前記傾斜面に沿って固定されて手開き用のヘラ部を形成することを特徴とするものであり、これを請求項１に係る発明とする。
【０００８】
好ましい実施形態によれば、ヒンジ部材の上端部又は回転蓋の表面側後端部の少なくとも一方に、回転蓋の回動を規制するための制止片が形成されているものが好ましく、これを請求項２に係る発明とする。
【発明の効果】
【０００９】
請求項１に係る発明では、インキパッドを備えたケース本体の後端縁と、前記インキパッドを覆う回転蓋の後端縁とを板状のヒンジ部材で連結し、前記回転蓋をケース本体に対し３６０°回動可能とした回転蓋付きスタンプ台であって、前記ケース本体の後端壁面は上方に向けて鋭角な傾斜面となっており、前記回転蓋を３６０°回転した場合に、前記ヒンジ部材は前記傾斜面に沿って固定されて手開き用のヘラ部を形成するようにしたので、回転蓋を３６０°回転するとインキパッドの前方にヘラ部が形成され、このヘラ部を用いて赤ちゃんの手のひらを伸ばしつつインキパッドで手のひら全体にインキを均等に付着させることができる。しかも、この動作を片手で行うことができ、従来のように赤ちゃんの手のひらを開くのに両手を使ったり、第三者の手を借りる必用もなくなる。
【００１０】
また、請求項２に係る発明では、ヒンジ部材の上端部又は回転蓋の表面側後端部の少なくとも一方に、回転蓋の回動を規制するための制止片が形成されているものとしたので、ヒンジ部材の回転蓋側に力を与えながら回転蓋を３６０°回転させることができ、回転蓋の開きからインキ転写までの一連の動作を片手で完結させることができる。
【図面の簡単な説明】
【００１１】
【図１】本発明の実施の形態を示す斜視図である。
【図２】本発明の実施の形態を示す平面図である。
【図３】本発明の実施の形態を示す右側面図である。
【図４】本発明の実施の形態を示す背面図である。
【図５】(a)図２のＡ−Ａ断面図、（ｂ）は回転蓋が当接する様子を示す説明図である。
【図６】回転蓋を３６０°回転させた形態を示すＡ−Ａ断面図である。
【図７】回転蓋の回動状態を示す説明図で、（ａ）は回転蓋が閉じた状態の図、（ｂ）は回転蓋を１８０°回転させた図、（ｃ）は回転蓋を２７０°回転させた図、（ｄ）は回転蓋を３６０°回転させた図である。
【図８】使用状態を示す斜視図である。
【図９】（ａ）は制止片を回転蓋に設けた形態を示す図、（ｂ）は回転蓋が当接する様子を示す説明図である。
【図１０】は制止片をヒンジピン周辺に設けた形態を示す図である。
【発明を実施するための形態】
【００１２】
以下に、図面を参照しつつ本発明の好ましい実施の形態を示す。
図１は回転蓋付きスタンプ台の一例を示す全体斜視図、図２は平面図、図３は右側面図、図４は背面図である。また図５は、図２におけるＡ−Ａ断面図であり、図６は回転蓋を３６０°回転させた形態を示すＡ−Ａ断面図である。
【００１３】
本発明の回転蓋付きスタンプ台は、基本的にはケース本体１と回転蓋２からなるものである。ケース本体１はインキパッド４を備えており、このケース本体１の後端縁と、前記インキパッド４を覆う回転蓋２の後端縁とは板状のヒンジ部材３で連結されて、前記回転蓋２をケース本体１に対し３６０°回動可能となっている。なお、前記ケース本体１とヒンジ部材３とは、ヒンジ部材３の左右端部においてヒンジピン５ａにより連結され、また前記回転蓋２とヒンジ部材３とは、ヒンジ部材３の左右端部においてヒンジピン５ｂにより連結されている。
このように、ヒンジ部材３を介してケース本体１と回転蓋２が連結されることで、回転蓋２がケース本体１に対し３６０°回動可能な構造となっている。
【００１４】
前記ケース本体１の後端壁面は上方に向けて鋭角な傾斜面６となっている。そして、前記回転蓋２を３６０°回転した場合に、前記ヒンジ部材３は前記傾斜面６に沿って固定され、この結果、インキパッド４の前方に手開き用のヘラ部１０を形成するように構成されている。
これにより、図８に示されるように、握った状態の赤ちゃんの手をヘラ部１０で押し開きながら前進させ、続いてインキパッド４で手のひら全体にインキを均等に付着させることができることとなる。
【００１５】
また、ヒンジ部材３の上端部又は回転蓋２の表面側後端部の少なくとも一方に、には、回転蓋２の回動を規制するための制止片７が形成されている。
また、本発明でいう規制とは、ヒンジ部材（図５（ｂ）を参照）又は回転蓋部分（図９（ｂ）を参照）、もしくはヒンジ部材と回転蓋部分の両方に設けられた（図示せず）例えば凸状の制止片７により、ヒンジ部材と回転蓋部分とが当接し、両者が回転蓋回転中に、くの字形状で固定されることを意味する。
図５(a)に示されるように、制止片７をヒンジ部材３に設けることが考えられる。
回転蓋を回転させる際に、ヒンジ部材側に設けられた制止片当接部分７ａと回転蓋当接部分２ａが接することによって、回転蓋当接部分２ａからヒンジ部材３の制止片当接部分７ａの方向に力が加わり（図５（ｂ）を参照）、回転蓋２の回動が規制された状態で、回転蓋２を３６０°回転させることができる為、回転蓋２の開きからインキ転写までの一連の動作を片手で完結させることが可能となる。
なお、図示のものでは、前記制止片７は左右の端部に１個ずつ形成してあるが、形状や個数については任意に設計することができる。
【００１６】
また、図９（ａ）に示されるように、前記制止片７を回転蓋２に設けることが考えられる。これによっても、回転蓋を回転させる際に、回転蓋側に設けられた制止片当接部分７ａとヒンジ部材当接部分３ａが接することによって、制止片当接部分７ａからヒンジ部材当接部分３ａの方向に力が加わり（図９（ｂ）を参照）、回転蓋２の回動が規制された状態で、回転蓋２を３６０°回転させることができる為、回転蓋２の開きからインキ転写までの一連の動作を片手で完結させることが可能となる。
さらに、制止片は、回転蓋側と、ヒンジ部材の両側に設けても良い。また、図１０に示されるように、ヒンジピン５ｂの周辺に設けることもできる。
【００１７】
次に、以上のように構成した回転蓋付きスタンプ台の使用について説明する。
図７（ａ）に示されるように、通常はケース本体１に対し回転蓋２は閉じた状態となっている。次いで、回転蓋２を開けると、図７（ｂ）に示されるように、回転蓋２はヒンジ部材３とともにヒンジピン５ａ、５ｂを中心に回動して１８０°回転した状態となり、更に図７（ｃ）に示されるように、回転蓋２はヒンジ部材３とともにヒンジピン５ａ、５ｂを中心に回動して、回転蓋２およびヒンジ部材３はともにケース本体１の裏面側へ向けて回動を続ける。更に、回転蓋２を開いていくと、図７（ｄ）に示されるように、ヒンジ部材３はケース本体１の後端壁面の傾斜面６に当接して回動を停止する。一方、回転蓋２はヒンジピン５ｂを中心にして更に回動を続け、ケース本体１の裏面側に密着することで回動を停止する。
なお、後端壁面の傾斜面６は、全面が斜面の場合だけでなく、一部が斜面の場合でもよく、また斜面の形状も直線状、曲線状、階段状等の形状を任意に設計することが出来る。
【００１８】
この結果、図６に示されるように、回転蓋２は３６０°回転してインキパッド４を露出した状態とするとともに、ケース本体１の裏面側に折り畳まれて密着した状態となる。また、ヒンジ部材３はケース本体１の後端壁面の傾斜面６に沿って固定され、手開き用のヘラ部１０を形成することとなる。このヘラ部１０は、スタンプ台を図６の右方向へ移動させた場合に、進行方向に対してヘラ部１０が鋭角となるように構成されており、握った状態にある赤ちゃんの手の掌と指の間にスムーズに入り込める構造となっている。
【００１９】
図８に本発明のスタンプ台の使用状態を示す。
前記回転蓋２を３６０°回転してインキパッド４を露出した状態とし、このインキパッド４を下向きにして赤ちゃんの手にインキを付着するが、スタンプ台の前方には進行方向に対して鋭角となっている手開き用のヘラ部１０が形成されているので、このヘラ部１０が握った状態にある赤ちゃんの手の掌と指の間にスムーズに入り込み、スタンプ台の移動とともに赤ちゃんの指を押し開くこととなる。また、これと同時にインキパッド４が赤ちゃんの手全体にインキを万遍なく付着させることとなり、これら一連の動作を一人で簡単に行えることとなる。
【００２０】
また、ヒンジ部材３の上端部には、回転蓋２の回動を規制するための凸状の制止片７が形成されているので、回転蓋を回転させる際に、ヒンジ部材側に設けられた制止片当接部分７ａと回転蓋当接部分２ａが接することによって、回転蓋当接部分２ａからヒンジ部材３の制止片当接部分７ａの方向に力が加わり、回転蓋２の回動が規制された状態で、回転蓋を３６０°回転させることができ、回転蓋２の開きからインキ転写までの一連の動作を片手で完結させることができる。このため、従来は両手を使っていたか、第三者に手伝ってもらっていたインキの付着作業を一人でより簡単に行うことができるようになった。
【符号の説明】
【００２１】
１  ケース本体
２  回転蓋
２ａ  回転蓋当接部分
３  ヒンジ部材
３ａ  ヒンジ部材当接部分
４  インキパッド
５ａ  ヒンジピン
５ｂ  ヒンジピン
６  傾斜面
７  制止片
７ａ  制止片当接部分
１０  ヘラ部
【図１】
2020032565.tif 000003
【図２】
2020032565.tif 000004
【図３】
2020032565.tif 000005
【図４】
2020032565.tif 000006
【図５】
2020032565.tif 000007
【図６】
2020032565.tif 000008
【図７】
2020032565.tif 000009
【図８】
2020032565.tif 000010
【図９】
2020032565.tif 000011
【図１０】
2020032565.tif 000012